(57)【特許請求の範囲】
【請求項１】
光学信号を伝搬する光学チャネルを含む光学ガイド；及び
前記光学チャネルに沿って埋め込まれた複数の素子を備え、
前記素子の各々が、前記光学チャネルから前記光学信号を受信するため及び前記光学ガイド内のそれぞれ関連するアクセスポートから第2の光学信号を受信するための２つの入力ポートを有し、前記素子の各々が、前記2つの入力光学信号の一方を前記光学チャネルに沿って伝播させ、前記2つの入力光学信号の他方をブロックして更なる伝播を阻止するように制御可能であることを特徴とする光学バス。
【請求項２】
前記複数の素子は、熱スイッチであることを特徴とする請求項１記載の光学バス。
【請求項３】
前記光学ガイドは、光ファイバであることを特徴とする請求項１記載の光学バス。
【請求項４】
前記熱スイッチの各々のための制御信号を与える制御素子（４０）をさらに有することを特徴とする請求項２記載の光学バス。
【請求項５】
複数の前記熱スイッチが所定の間隔で前記光学チャネル内に配置されていることを特徴とする請求項２記載の光学バス。
【請求項６】
光を伝搬する単一の光学チャネルを含む単一の光学ガイドを備え、
複数の素子が単一の前記光学チャネルに沿って埋め込まれ、
前記素子の各々が前記単一の光学ガイド内に配置され、
前記素子の各々が前記単一の光学ガイド内の夫々の関連するアクセスポイント或いは前記単一の光学チャネルのいずれかから光を入力する２つの入力ポート、及び前記単一の光学チャネルに光を出力するための単一の出力ポートを有することを特徴とする光学バス。
【請求項７】
埋め込まれた前記複数の素子の各々が熱スイッチであることを特徴とする請求項6記載の光学バス。
【請求項８】
前記熱スイッチの各々のための制御信号を与える制御素子をさらに有することを特徴とする請求項7記載の光学バス。
【請求項９】
埋め込まれた前記複数の素子の各々が光学ビームスプリッタであることを特徴とする請求項6記載の光学バス。
【請求項１０】
前記光学ガイドのアクセスポイントの少なくとも一部に入力するために、複数の光学入力信号の個々の信号を選択する光学セレクタをさらに有することを特徴とする請求項9記載の光学バス。
【発明の詳細な説明】
【０００１】
【発明の属する技術分野】
本発明は、光学通信に関し、特に、光学信号を結合したり分配したりする装置に関する。
【０００２】
【従来の技術】
光通信の分野においては、ソースデバイスから宛先デバイスへ、光学ストリーム（１秒あたり数ギガビット以上のレートの光学信号）を分配したり方向付けたりする（方向を変えたりする）必要がある。ある解決方法は、光学信号を等価の電気信号に変換し、その後この電気信号を電気バスに加えて、この電気バスを用いて様々なデバイスを相互接続している。（従来公知のように、電気バスはソースデバイスから宛先デバイスに電気信号を分配する導電体を含む。）
【０００３】
【発明が解決しようとする課題】
ところが、このように電気的に変換することは、コストがかさむ。例えば光学信号を電気信号に変換しそれを再び戻すことにより、価格の高い電気構成要素を必要とする。そして電気的領域で高速のギガビットレートの光学信号を処理することは、歪みおよび遅延を導入する点から性能が劣化する。
【０００４】
【課題を解決するための手段】
本発明の光学バスは、光学信号を分配する。特に本発明の光学ガイドは、光学ガイドの複数のポート間の光を結合するための埋め込まれた素子のアレイを有する。
【０００５】
本発明の一実施例においては、光学ガイドは、所定のインターレベルで熱スイッチの集積アレイを含む光ファイバである。
【０００６】
本発明の他の実施例においては、光ガイドは、所定のレベルで光学ビームスプリッタの集積アレイを含む光ファイバである。
【０００７】
【発明の実施の形態】
図１において、光学バス１００は光学ガイドの複数のポート間で光を結合するための、埋め込まれた素子を具備した光学ガイドを含む。同図において光学ガイドは、光ファイバ３０で表され（シングルモード光ファイバとする）、埋め込まれた素子は光ファイバ３０内で所定の（例えば一定の）間隔で配置された複数の熱スイッチ３５−１から３５−Ｎにより表される（この構成は、インライン熱光学バスと称する）。各熱スイッチ３５は、熱スイッチ制御装置４０からの制御信号４１−１から４１−Ｎで制御される。参考のために、小さい番号の熱スイッチは、大きい番号の熱スイッチよりも出力ポート側にある（言い換えると、大きい番号の熱スイッチは、小さい番号のスイッチよりも出力ポートよおり遠い側にある）。例えば熱スイッチ３５−１は熱スイッチ３５−３よりも出力ポートに近い側にあり、熱スイッチ３５−３は熱スイッチ３５−１よりも出力ポートに遠い側にある。本発明の概念以外は、図１に示された装置は公知のものであり、詳細な説明は割愛する。例えば、光ファイバは、コアとクラッド層を有する。同様に、熱スイッチは従来公知のものである（例えば熱スイッチは、Kymata Ltd. から購入可能でありそれに関する情報は、www.kymata.comにある）。同様に、熱スイッチ制御装置４０は、制御信号４１−１から４１−Ｎを提供するために、蓄積プログラム制御をベースにしたプロセッサ（例、マイクロプロセッサ）と、その関連メモリ（図示せず）を表す。熱スイッチ制御装置４０は従来のプログラミング技術を用いて、適宜プログラムされており、これについては詳述しない。
【０００８】
光ファイバ３０は、その長さ方向に沿ってＮ個の入力ポート（１５−１から１５−Ｎ）を有する。具体的には光ファイバ３０の入力ポートは、アクセスポイント、ウィンドウ、ホール、光の入力口である。各熱スイッチは、２個の入力ポートと１個の出力ポートを有する、すなわち各熱スイッチは、１×２のスイッチである。各熱スイッチの第１の入力ポートは、光ファイバ３０のＮ個の入力ポートの１つに接続され、Ｎ個の光学ソースのいずれかからのＮ個の入力光学信号の１つを受信する。各熱スイッチの第２の入力ポートは、光ファイバ３０のコア３１に接続されている。図１において、光の伝搬していく先即ち左側を下流側とすると、各熱スイッチの第２の入力ポートは、上流側の熱スイッチの出力ポートに接続されている。例えば熱スイッチ３５−１の第１入力ポートは、入力ポート１５−１に接続され、入力光学信号１を受信し、熱スイッチ３５−１の第２入力ポートは、光ファイバ３０のコア３１の一部を介して熱スイッチ３５−２の出力ポートに接続されている。熱スイッチ３５−１の出力ポートは、光ファイバ３０のコア３１の部分に接続されて、出力ポート２５を介して出力光学信号３６を与える。（各入力光学信号は、１つあるいは複数の波長を含み、例えば光学信号は１つの波長あるいは複数の波長（ＷＤＭ：波長分割多重化信号）を含む。）
【０００９】
熱スイッチ制御装置４０は各熱スイッチの状態を制御する。熱スイッチが「ＯＮ」の時は、光学エネルギーは、光ファイバ３０の対応する第１入力ポートに接続された光学スイッチの入力ポートから、熱スイッチの出力ポートに結合される（そして光ファイバ３０のコア３１に）。逆に、熱スイッチが「ＯＦＦ」の時には、光学エネルギーは、光ファイバ３０のコア３１に接続された熱スイッチの第２入力ポートから、熱スイッチの出力ポートには結合され、そして光ファイバ３０の下流側に伝送するために、光ファイバ３０のコア３１内に戻される。したがって熱スイッチが「ＯＦＦ」の時には、光は光ファイバ３０を介して、ある熱スイッチから次の下流側の熱スイッチへと下流方向へと進む。逆に熱スイッチが「ＯＮ」の時には、光ファイバのコア内に光が入り、いずれかの上流側の熱スイッチの出力ポートからの光はブロックされる。
【００１０】
例えば、熱スイッチ３５−３について考えてみると、熱スイッチ３５−３が「ＯＮ」状態となるよう制御されているときには、入力ポート１５−３を介して入った光は、光ファイバ３０のコア３１内に熱スイッチ３５−３を介して伝搬する。熱スイッチ３５−１と熱スイッチ３５−２が「ＯＦＦ」と仮定すると、この光は、光ファイバ３０を介して伝搬して、出力光学信号３６となる（幾分減衰があるが）。熱スイッチ３５−３が「ＯＮ」であるために、光ファイバ３０を介して熱スイッチ３５−４から３５−Ｎを介して下流側に伝搬する光は、熱スイッチ３５−３の第２入力点でブロックされる。かくして、この実施例においては、１つの熱スイッチのみが「ＯＮ」の時には、対応する第１入力ポートからの光が光ファイバ３０内に入ることができ、光ファイバ３０を介して伝搬し、そして下流側熱スイッチを介して出力光学信号３６で出ていく。入力光学信号の減衰損失を補償するために、光学増幅器（図１には図示していない）を用いて、出力光学信号３６を増幅する。しかし熱スイッチの減衰損失は小さいので、より大きな光学バスの構造体に対しては、光学増幅器の使用を必要としない。
【００１１】
図２において、光ファイバ３０は光ファイバ３０の長さ方向に沿ってＮ個の入力信号を受領している（ここで対応するＮ個の入力ポートがそれぞれ配置されている）。埋め込まれた熱スイッチ３５−１ないし３５−Ｎは、「／」で表されている。同図において、熱スイッチ３５−３は「ＯＮ」状態であり、入力信号３が光ファイバ３０内に入り、その後出力光学信号３６として出力される。
【００１２】
同様に図３においては、光ファイバ３０の一部が最初の３個の熱スイッチ３５−１、３５−２、３５−３を含むよう示されている。これらの各熱スイッチは、入力ポート１５−１、１５−２、１５−３として示されている、対応する入力ポートに接続されている。同図において、熱スイッチ３５−３が「ＯＮ」状態であり、熱スイッチ３５−１と熱スイッチ３５−２が「ＯＦＦ」状態であると、これは入力光学信号３がコア３１内に入り、これがその後、出力光学信号３６として出力される。言い換えると、光ファイバ３０は光を伝搬する光学チャネル（光ファイバ３０のコア３１）を含む光学ガイドを表し、そして複数の素子がこの光学チャネルに沿って埋設され（配置され）、そして光学ガイド内に配置された素子は、光学ガイドの関連アクセスポイント（例、入力ポート１５−１、１５−２、１５−３）から、あるいは光学チャネル（光ファイバ３０のコア３１）のいずれかの光を受領する。
【００１３】
図１−３に示された熱光学バスの製造手順は、産業界で標準のシリコン−オン−シリコン技術、あるいは他の適宜の技術を用い、埋め込まれた１×２の熱光学スイッチを光学ガイド構造体内に一直線のアレイとして組み立てる。（シリカガラスは、シングルモードファイバと適合性がある。）熱スイッチアレイが光学ガイド構造体の長さ方向に沿って入力光学信号を受領する、関連入力アクセスポイントを具備した、直線上に配置された複数の熱光学スイッチを用いる。個々の熱光学スイッチは、各入力信号の位置に関連した、個々のヒータ制御信号を介して制御される。
【００１４】
上記したように、熱スイッチが「ＯＮ」の時には、上流方向からの光はブロックされる。これにより、１つあるいは複数の波長を有する入力光学信号（例、ＷＤＭ信号）は、他の入力光学信号と混合することなしに、光学バスの出力ポートに向けて伝搬する。しかし、上流方向からの光はブロックされているために、集積熱スイッチを含む光学バスは、別々の入力光学信号からのＷＤＭ信号（それぞれ異なる波長を有する）を生成することはない。
【００１５】
これとは対照的な本発明の他の実施例を図４に示す。同図において、光学バス２００は、光学ガイドの複数のポート間で光を結合するために、埋め込まれた素子を具備した光学ガイドを有する。同図において光学ガイドは、光ファイバ２３０で表され（シングルモードファイバとする）、埋め込まれた素子は、光ファイバ２３０内に一定（例えば均一）の間隔で配置された複数の集積ビームスプリッタ２３５−１から２３５−Ｎにより表される（これを直線上のスプリッタ光学バスと称する）。参考のために、小さい番号のスプリッタは、大きい番号の下流側にあるものとする（すなわち大きい番号のスプリッタは小さい番号のスプリッタよりも上流側にある）。例えば、集積ビームスプリッタ２３５−１は集積ビームスプリッタ２３５−３の下流側にあり、集積ビームスプリッタ２３５−３は集積ビームスプリッタ２３５−１の上流側にある。本発明の概念以外は図４に示された構成要素は公知であり、詳細な説明は割愛する。例えば光ファイバは、コアとクラッド層からなり、同様にスプリッタそのものは公知である。
【００１６】
光ファイバ２３０は、その長さ方向に沿ってＮ個の入力ポート（入力ポート２１５−１ないし２１５−Ｎ）を有し、光ファイバ２３０の各入力ポートはアクセスポイント、ウィンドウ、ホール、あるいは光の入力口である。各スプリッタは、２個の入力ポートと１個の出力ポートを有する（図４には図示せず）。各スプリッタの第１の入力ポートは、光ファイバ２３０のＮ個の入力ポートのうちの１つのポートに接続され、（Ｎ個の光学ソースからの）Ｎ個の入力光学信号のうちの１つの信号を受領する。各スプリッタの第２の入力ポートは、光ファイバ２３０のコア２３１に接続される。図４から分かるように、各スプリッタの、この第２入力ポートは、上流側のスプリッタの出力ポートに接続されている。例えば、集積ビームスプリッタ２３５−１の１つの第１入力ポートは、入力ポート２１５−１に接続されて、入力信号１をセレクタ２２０を介して受信し、集積ビームスプリッタ２３５−１の第２の入力ポートは、光ファイバ２３０のコア２３１の一部を介して、集積ビームスプリッタ２３５−２の出力ポートに接続される。集積ビームスプリッタ２３５−１の出力ポートは、光ファイバ２３０のコア２３１の一部に接続されて、出力ポート２２５を介して出力光学信号２３６を出力する。
【００１７】
図１の実施例とは異なり、スプリッタは光を阻止することはない。すなわち、一部の光は反射され、一部の光はそこを通過する。かくして、光ファイバ２３０に関しては（セレクタ２２０を無視する）、いずれかの入力ポートには行った光は、他の入力ポートに入った光と混合する。かくして、スプリッタを有する光学バスは、ＷＤＭアプリケーションで有用であり、異なる波長からなる光が、入力ポート２１５−１ないし２１５−Ｎのうちの別々のものに入力されると、その結果、出力光学信号２３６はＷＤＭ信号となる。（厳密に言うと、光ファイバ２３０の入力ポートは、出力ポートとして機能する。その理由は、光の一部が反射されるからである。言い換えると、入力ポートは双方向ポートである。その理由は、下流側のスプリッタからの光の一部が、上流側の入力ポートに現れるからである。光学信号の特徴は、以下に説明する光学アプリケーションで利用される。）
【００１８】
しかし、入力光学信号が全て同一の波長を有するような状況においては、光ファイバ２３０のコア２３１内の入力光学信号が誤って混合するのを阻止するために、複数の入力ポートのうちのある入力ポートからの光をブロックする必要がある。（実際これは、ＷＤＭのアプリケーションで行うと有利である。）かくして、セレクタ２２０を用いて入力光学信号をブロックする。セレクタ２２０（制御信号は図示されていない）により、ある時には、ある入力光学信号は、光ファイバ２３０に加えられる。本発明の概念には必ずしも必要なものではないが、セレクタ２２０は１×２の熱スイッチのアレイであり、各熱スイッチの入力ポートの一方は使用されない。別法として、セレクタ２２０は液晶のピクセル素子のアレイであり、これは米国特許出願第０９／４７８６３０号に開示されている。各素子の制御回路の構成は単純であり、ここでは詳述しない。光学バス１００の記載と同様に、セレクタ２２０の各素子は、「ＯＮ」状態（すなわち光学エネルギーが、光ファイバ２３０の対応する入力に接続される）と、「ＯＦＦ」状態（光が、光ファイバ２３０の対応する入力からブロックされる）を有する。これを図４に示す。同図において、セレクタ２２０の素子３は、「ＯＮ」状態であり、光ファイバ２３０に入力ポート２１５−３を介して光を入力する。セレクタ２２０の他の素子は、「ＯＦＦ」状態である。かくして、入力光学信号３からの光のみが、光ファイバ２３０内に入り、出力光学信号２３６となる（ただし減衰はあるが）。かくして非ＷＤＭのアプリケーションにおいては、セレクタ２２０の１つの素子のみが、対応する入力ポートからの光を、光ファイバ２３０に入らせ、さらに光ファイバ２３０を介して伝搬され、出力光学信号２３６として出力される。（セレクタ２２０は、必要によっては光ファイバ２３０内に複数の入力光学信号が入るよう制御することもできる。）
【００１９】
図５において、光ファイバ２３０は、光ファイバ２３０の長さ方向に沿ってＮ個の光学信号のうちのいずれか１つを受領するよう示されている（ここで対応するＮ個の入力ポートがそれぞれ配置されている）。埋め込まれた集積ビームスプリッタ２３５−１ないしスプリッタ２３５−Ｎは、「／」で表されている。同図において、セレクタ２２０により入力光学信号３は、光ファイバ２３０内に入り、そして他の入力光学信号はすべて阻止される。入力光学信号３は、その結果、出力光学信号２３６として出力される。
【００２０】
この光学バスの実施例は、入力光学信号に対し大きな減衰損失を有する埋め込み型のスプリッタ素子を利用する。（例えば、光学ビームスプリッタは、６０／４０の比率（すなわち光の６０％が通過し、４０％が反射される比率）を有する。）かくして、光学増幅器を用いて、出力光学信号を増幅してスプリッタ内の損失を補償する。このことを図６に示す。同図においては、光学増幅器２５０に入る出力光学信号２３６が、増幅された２５１を与える。（これは、上記の光学バス１００とは対照的で、より低い順方向の光損失を有する熱スイッチ素子を利用する。）
【００２１】
図４−６に示された熱光学バスの製造手順は、産業界で標準のシリコン−オン−シリコン技術、あるいは他の適宜の技術を用い、埋め込まれた光学ビームスプリッタ素子を光学ガイド構造体内に一直線のアレイとして組み立てる。（シリカガラスは、シングルモードファイバと適合性がある。）光学ビームスプリッタアレイが光学ガイド構造体の長さ方向に沿って入力光学信号を受領する、関連入力アクセスポイントを具備した直線上に配置された複数の熱光学スイッチを用いる個々の光学ビームスプリッタは、受動型であり、外部制御信号を必要としない。各光学ビームスプリッタ上のコーティング量が、反射光対透過光の比率を決定し、これは設計的事項である。溶融スプライス、光リソグラフ、反応性イオンエッチング等の標準方法を用いて、光学バスを構成することができる。
【００２２】
図７は、光学バスをプログラマブルライン外減衰器（programmable line build-out attenuator）の一部として使用する例を示し、この例では、様々なエネルギーレベルの入力光学信号（ホット信号）を受領し、所定のエネルギーレベルで出力光学信号を与える。特に、プログラマブルライン外減衰器は、光ファイバ３３０と、光学バス３４０と、セレクタ３２０と、集積ビームスプリッタ３３５と、ゲイン制御回路３０５と、光検出器３１５と、Ａ／Ｄ変換器３１０とを有する。入力光学信号は、光学バス３４０に与えられる。この光学バス３４０は、ライン内スプリッタ光学バス（図４に示したような）である。前述したように各スプリッタは、光の反射と透過の両方を行う。かくして光が、光学バス３４０の各スプリッタ内を通過する際に、様々な程度の減衰が入力光学信号に導入される。各スプリッタは光を反射しかつ透過するために、一部の光が光学バスの入力ポートと称する場所に、出力信号として現れる。これらを図７に示し、減衰タップが０ｄＢ、−５ｄＢ、−１０ｄＢ、−２０ｄＢの場合を示す。減衰器タップからの各出力信号は、セレクタ３２０の素子に与えられる。このセレクタ３２０は、ゲイン制御回路３０５により制御ライン３１１、３１２、３１３、３１４を介して制御される。
【００２３】
この実施例においては、ゲイン制御回路３０５は、素子３をセレクタ３２０の３１３を介して「ＯＮ」状態にして、光が光ファイバ３３０の対応する入力ポートに通過するようにする。これは、インラインスプリッタ光学バスである。（しかしインラインスプリッタ光学バスは、図１に示したインライン熱光学バスでもある。この場合に、セレクタ３２０は必要ではなく、光学増幅器３５０は制御ライン３１１、３１２、３１３、３１４を介して各熱スイッチを制御する。）光ファイバ３３０は、ある減衰レベルで光学信号を集積ビームスプリッタ３３５に与え、この集積ビームスプリッタ３３５は出力光学信号を与え、かつ光学フィードバック信号をゲイン制御回路３０５に与える。このゲイン制御回路３０５は、光学フィードバック信号を光検出器３１５を介して受領し、この光検出器３１５は光学信号を電気信号に変換して、この電気信号をＡ／Ｄ変換器３１０に与える。光学フィードバック信号のレベルに応じて、Ａ／Ｄ変換器３１０は、制御ライン３１１、３１２、３１３、３１４の別々のものが、セレクタ３２０の特定の素子に対しチューニングするよう動作する。かくして、出力光学信号のエネルギーレベルは、光学バス３４０の減衰器タップの異なるタップを選択することにより制御される。
【００２４】
図８においては、本発明による光学バスの光学傾斜制御アプリケーションを示す。光学傾斜制御装置は、セレクタ４０５、４１０、４１５と、光学バス４４０、４４５、４５０、４３０とを有する。このアプリケーションにおいては、全ての光学バスは、インラインスプリッタ光学バスであるとする。この特定のアプリケーションは、インラインスプリッタ光学バスのＷＤＭ機能を利用する。光学バス４４０、４４５、４５０はそれぞれ、対応するセレクタ４０５、４１０、４１５より与えられた異なる波長で入力光学信号を受領する（各セレクタに対する制御信号は、図示していない）。特に、波長Ｒを有する入力信号が、光学バス４４０に与えられ、波長Ｇを有する入力信号が光学バス４４５に与えられ、波長Ｂを有する入力信号が光学バス４５０に与えられる。各光学バスは、それぞれの入力信号（減衰した形で）を、光学バス４３０の対応する入力ポートに与える。光学バス４３０は、各受信した信号を混合して、フラット傾斜出力信号を提供し、これがＷＤＭ信号となる。
【００２５】
上記したように、本発明によれば光学バスは、機械的あるいは電気的なバス構造に対し、大きな利点があり、その結果パワーが小さく、可動部分がなく、クロストークと損失がなくなる。さらにまた、本発明による光学特性により、Ethernet framing を保持でき、かくしてサービスオブクオリティ（Quality of Service：ＱｏＳ）とＶＬＡＮ（仮想ローカルエリアネットワーク）のタギングとペイロードを保持できる。バスの光学設計によっては、標準のリンク集合プロトコルを、個別のギガビットリンクとしてアプライできる。市内環状、市内アクセス、企業内アクセスのアプリケーションも本発明のバスデザインで可能となる。
【００２６】
本発明の変形例として、本発明は光ガイドは光ファイバを例に説明したが、光ガイドは光学集積回路技術を用いて形成することもできる。同様に本発明の一実施例は、熱スイッチ、光学ビームスプリッタのような埋め込み型素子の使用を例に説明したが、他の素子、例えば光学バブルジェット技術素子を光学導波路構造体内のインラインアレイ内に組み込むこともできる。このようなアレイは、光学ガイド構造の長さ方向に沿って、入力光学信号を受領する関連入力ウィンドウと、直列に配列された複数の光学バブル素子を利用する。個々の光学バブル素子は、各個々の入力信号位置に関連する、個々の制御信号を介して駆動される。
【００２７】
特許請求の範囲に発明の構成要件の後に括弧で記載した番号がある場合は、構成要件と実施例と対応づけて発明を容易に理解させる為のものであり、特許請求の範囲の解釈に用いるべきものではない。
【図面の簡単な説明】
【図１】本発明の光学バスの第１実施例を表す図。
【図２】図１の光学バスの斜視図。
【図３】図１の光学バスの斜視図。
【図４】本発明の光学バスの第２実施例を表す図。
【図５】図４の光学バスの斜視図。
【図６】本発明の光学バスの第３実施例を表す図。
【図７】本発明のアプリケーションを示す図。
【図８】本発明のアプリケーションを示す図。
【符号の説明】
１５  入力ポート
２５  出力ポート
３０  光ファイバ
３１  コア
３５  熱スイッチ
３６  出力光学信号
４０  熱スイッチ制御装置
４１  制御信号
１００  光学バス
２００  光学バス
２１５  入力ポート
２２０  セレクタ
２２５  出力ポート
２３０  光ファイバ
２３１  コア
２３５  集積ビームスプリッタ
２３６  出力光学信号
２４０  熱スイッチ制御装置
２４１  制御信号
２５０  光学増幅器
３０５  ゲイン制御回路
３１０  Ａ／Ｄ変換器
３１１、３１２、３１３、３１４  制御ライン
３１５  光検出器
３２０  セレクタ
３２５  出力ポート
３３０  光ファイバ
３３１  コア
３３５  集積ビームスプリッタ
３３６  出力光学信号
３４０  光学バス
３５０  光学増幅器
４０５、４１０、４１５  セレクタ
４３０  光学バス
４３５  集積ビームスプリッタ
４４０、４４５、４５０  光学バス
【図１】
0004727084.tif 000002
【図２】
0004727084.tif 000003
【図３】
0004727084.tif 000004
【図４】
0004727084.tif 000005
【図５】
0004727084.tif 000006
【図６】
0004727084.tif 000007
【図７】
0004727084.tif 000008
【図８】
0004727084.tif 000009